(57)【特許請求の範囲】
【請求項１】
光学媒体において、
基板であって、複数のアーカイブイメージを人間が知覚可能な形式で前記基板の表面に記憶し、かつ、前記人間が知覚可能なイメージの、前記表面からの光学的再生を補助するための制御データを前記アーカイブイメージと関連付けて記憶する基板を含み、
前記アーカイブイメージが、前記光学媒体の記録層上に、隣接するタイルのシーケンスとして配列され、各タイルが、関連する長さ及び幅を有し、前記制御データが、少なくとも１つの識別（ＩＤ）タイルを含み、当該少なくとも１つの識別（ＩＤ）タイルが、前記アーカイブイメージに隣接し、前記タイルそれぞれの前記長さ及び幅と関連して選択された、関連する長さ及び幅を有する、
光学媒体。
【請求項２】
前記少なくとも１つのＩＤタイルの前記長さ及び幅が、前記タイルそれぞれの前記長さ及び幅と名目上同じである、
請求項１に記載の光学媒体。
【請求項３】
前記アーカイブイメージが、隣接するタイルのシーケンスとして配列され、各タイルが、約２５ミクロン（μｍ）以下の関連する長さと、約２５μｍ以下の関連する幅とを有する、
請求項１に記載の光学媒体。
【請求項４】
前記識別タイルが、前記イメージの前記隣接するタイルそれぞれの領域に対応する領域を示す境界表示マークを有する、
請求項１に記載の光学媒体。
【請求項５】
前記アーカイブイメージそれぞれが、英数字を含む人間が読取り可能なドキュメントのイメージであることを特徴とし、前記制御データが、前記光学媒体上のそれぞれの前記タイルの位置特定を補助するための、人間が読取り不能でコンピュータ読取り可能なデータを含む、
請求項１に記載の光学媒体。
【請求項６】
前記基板が、中心回転軸のまわりに回転可能な光ディスクであることを特徴とする、
請求項１に記載の光学媒体。
【請求項７】
前記イメージが、前記記録層にわたって行及び列で配列され、各イメージが、共通方向に方向づけられた、
請求項６に記載の光学媒体。
【請求項８】
前記イメージが、動径方向に展開する一連のバンドに、前記中心回転軸のまわりに同心円状に配列され、各イメージが、当該イメージの角度位置に関連して方向づけられた、
請求項６に記載の光学媒体。
【請求項９】
前記アーカイブイメージが、個別のドキュメントである、
請求項１に記載の光学媒体。
【請求項１０】
前記アーカイブイメージが、視聴覚作品のフレームである、
請求項１に記載の光学媒体。
【請求項１１】
イメージアーカイブ基板を形成するためのシステムであって、
人間が知覚可能な複数のアーカイブイメージに対応する入力データを生成するイメージレイアウトシステムと、
前記アーカイブイメージと関連付けられる制御データを生成する制御データ生成部と、
基板の記録層に書き込みビームを当てて、人間が知覚可能な形式で前記アーカイブイメージを記憶し、前記記録層からの前記アーカイブイメージの光学的再生を補助する前記制御データを記憶する記録装置であって、前記基板がマスタ基板であることを特徴とする記録装置と、
前記マスタ基板から名目上同一の複数の複製基板を生成する複製ブロックと、
を含むシステム。
【請求項１２】
前記アーカイブイメージが、複数の隣接するイメージタイルとして配列され、前記制御データが、前記イメージタイルと隣接する少なくとも１つの識別（ＩＤ）タイルを含む、
請求項１１に記載のシステム。
【請求項１３】
前記制御データが、前記アーカイブイメージと関連付けて前記基板に記憶される、人間が読み取り不能なコンピュータデータを更に含む、
請求項１１に記載のシステム。
【請求項１４】
前記名目上同一の複数の複製基板のうちの少なくとも１つの選択された複製基板から前記アーカイブイメージを光学的に検出し、当該検出したアーカイブイメージを、表示装置に表示するために出力するリードバック装置を更に含む、
請求項１１に記載のシステム。
【請求項１５】
前記リードバック装置が、メモリ内のデータベース構造にアクセスして、前記名目上同一の複数の複製基板のうちの少なくとも１つの選択された複製基板からの前記制御データの検出に応じて、選択されたアーカイブイメージの相対位置を識別する、
請求項１４に記載のシステム。
【請求項１６】
イメージをアーカイブする方法であって、
記録装置の書き込みビームをマスタ基板の記録層に当てて、人間が知覚可能な形式で複数のアーカイブイメージを前記マスタ基板に記憶し、かつ、前記アーカイブイメージと関連付けて制御データを前記マスタ基板に記憶するために、記録装置の書き込みビームを使用することと、
前記マスタ基板から名目上同一の複製基板を形成することと、
前記複製基板から前記イメージを光学的に検出して当該検出したイメージを表示装置に表示するために出力するリードバック装置を使用して、少なくとも1つの選択された前記アーカイブイメージを前記複製基板から読み出すことと、
を含む方法。
【請求項１７】
基板であって、複数のアーカイブイメージを人間が知覚可能な形式で前記基板の表面に記憶し、かつ、前記人間が知覚可能なイメージの、前記表面からの光学的再生を補助するための制御データを前記アーカイブイメージと関連付けて記憶する基板を含み、
前記アーカイブイメージが、隣接するタイルのシーケンスとして配列され、各タイルが、約２５ミクロン（μｍ）以下の関連する長さと約２５μｍ以下の関連する幅とを有する、
光学媒体。
【請求項１８】
前記制御データが、前記イメージの前記隣接するタイルそれぞれの領域に対応する領域を示す境界表示マークを有する少なくとも１つの識別タイルを含む、
請求項１７に記載の光学媒体。
【請求項１９】
前記アーカイブイメージが、前記光学媒体の記録層上に、隣接するタイルのシーケンスとして配列され、各タイルが、関連する長さ及び幅を有し、前記制御データが、少なくとも１つの識別（ＩＤ）タイルを含み、当該少なくとも１つの識別（ＩＤ）タイルが、前記アーカイブイメージに隣接し、前記タイルそれぞれの長さ及び幅と関連して選択された、関連する長さ及び幅を有する、
請求項１７に記載の光学媒体。
【請求項２０】
前記制御データが、前記アーカイブイメージそれぞれの長さ及び幅と名目上同じ長さ及び幅を有する少なくとも１つの識別タイルを含む、
請求項１７に記載の光学媒体。
【発明の詳細な説明】
【技術分野】
【０００１】
本発明はイメージアーカイブディスクに関する。
【背景技術】
【０００２】
当該技術分野では、デジタル符号化データを高速かつ効率的に記憶し取り出すために様々なデータ記憶媒体が提案されてきた。そのような媒体には、磁気記録ディスク、光記録ディスク、ソリッドステートメモリ（例えば、フラッシュメモリ）などが含まれる。
【０００３】
従来の光ディスクなどの幾つかの媒体は、ヘッド組立体がリードバック信号を変換して媒体表面に記憶されたデータパターンを再生する間に、選択された速度で回転することができる。データパターンは、多くの場合、ディスクの表面に円周方向に延在する一連の同心トラック（例えば、別個のリング、連続スパイラルなど）に沿ってそのような媒体上に配列される。一連の光学的に認識可能なマーク（例えば、ピット、ランドなど）を検出することによってデータパターンを再生するために、アクチュエータを閉ループサーボ回路の制御下で移動させてヘッド組立体をトラック近くに動径方向に位置合わせすることができる。
【０００４】
光ディスクは、現在、ランダムアクセスコンピュータプログラミングデータ（例えば、ゲーム機ディスクなど）とストリームオーディオ／ビデオデータ（例えば、オーディオディスク、ムービーディスクなど）などの様々な異なるタイプのデータを記憶するために使用されている。コンパクトディスク（ＣＤ）、デジタル多用途ディスク（ＤＶＤ）、高密度ＤＶＤ（ＨＤ  ＤＶＤ）、ブルーレイ（ＢＤ）などを含む、光ディスク用の幾つかの商業的に成功し広い範囲で実施されている規格が開発された。これら及び他の規格は、選択されたサイズ（例えば、２３５２バイトなど）のアドレス指定可能なデータブロック（又は、セクタ）の形式のユーザデータの配列を要求することが多い。また、ユーザデータブロックの再生を補助するために、サーボデータ、サブコードビット、アドレスヘッダ、誤り検出及び訂正（ＥＤＣ）コード（Ｐ０及びＰ１パリティコード、リードソロモンコードなど）のような制御情報もディスクに記憶されることがある。
【発明の概要】
【発明が解決しようとする課題】
【０００５】
比較的大量のデータをコンピュータフォーマットで記憶できるが、光ディスクや他の形式の媒体を使ってドキュメントや他のアーカイブオブジェクトを記憶することに対する制限は、アーカイブオブジェクトの位置を特定し、復号し、再構成するのに必要なソフトウェア及び／又はハードウェア要件である。
【０００６】
例えば、一般的なアーカイブ媒体が３．５インチフロッピディスクであったのはそれほど前ではないが、今日では、このフォーマットのファイルにアクセスするのを可能にするために、３．５インチフロッピディスクドライブを見つけることさえ難しくなってきている。同様に、既存のソフトウェアフォーマットを使用するコンピュータデータの形式で記憶されたファイルを、将来ある程度の時間が経った後で容易に再生できる可能性は、新しいコーデック、ソフトウェアのバージョン、ドライバなどによってますます低くなっている。
【課題を解決するための手段】
【０００７】
したがって、本開示の様々な実施形態は、一般に、回転式光ディスクなどの基板（担体）上にイメージデータをアーカイブする方法及び装置を対象とする。
【０００８】
ある実施形態では、基板は、複数のアーカイブイメージを基板の表面に人間が知覚可能な形式（human detectable form）で記憶し、上記人間が知覚可能なイメージの、上記表面からの光学的再生を補助するための制御データをアーカイブイメージと関連付けて更に記憶する。
【０００９】
他の実施形態では、イメージアーカイブ基板を構成するシステムは、人間が知覚可能な複数のアーカイブイメージに対応する入力データを生成するイメージレイアウトシステムを含む。制御データ生成部が、アーカイブイメージと関連付けられる制御データを生成する。記録装置は、基板の記録層に書き込みビームを当てて、人間が知覚可能な形式のアーカイブイメージを記憶し、記録層からのアーカイブイメージの光学的再生を補助するための制御データを記憶する。
【００１０】
他の実施形態では、イメージをアーカイブする方法は、記録装置の書き込みビームを使用して、人間が知覚可能な形式で複数のアーカイブイメージを基板に記憶し、かつ、アーカイブイメージと関連付けて制御データを基板に記憶することと、基板からイメージを光学的に検出して当該検出したイメージを表示装置に表示するために出力するリードバック装置を使用して、少なくとも１つの選択されたアーカイブイメージを取り出すこととを含む。
【図面の簡単な説明】
【００１１】
【図１Ａ】ある実施形態に係るイメージアーカイブ基板の例示的フォーマットを示す図である。
【図１Ｂ】ある実施形態に係るイメージアーカイブ基板の例示的フォーマットを示す図である。
【図２】図１Ａ〜図１Ｂのアーカイブ基板のデータフォーマット構造を示す図である。
【図３】図１Ａ〜図１Ｂの基板から図２のデータを再生する動作が可能なリードバックシステムを示す図である。
【図４】図１Ａ〜図１Ｂの基板にデータを書き込むように構成された書き込みシステムを示す図である。
【図５】ある実施形態に係る図１Ａ〜図１Ｂの基板の説明的フォーマットを示す図である。
【図６】ある実施形態に係る図１Ａ〜図１Ｂの基板の説明的フォーマットを示す図である。
【図７】ある実施形態に係る図１Ａ〜図１Ｂの基板の説明的フォーマットを示す図である。
【図８】アーカイブイメージと制御データをアーカイブ基板に書き込むために幾つかの実施形態により実施されてもよい段階を説明する、データ書き込みルーチンのフローチャートである。
【図９】アーカイブ基板からアーカイブイメージを再生するために幾つかの実施形態により実施されてもよい段階を説明する、データ読み出しルーチンのフローチャートである。
【図１０】アーカイブ基板からコンピュータデータの出力を生成する幾つかの実施形態による別のリードバックシステムを示す図である。
【図１１】アーカイブ基板から光学データ出力を生成する幾つかの実施形態による別のリードバックシステムを示す図である。
【図１２】アーカイブイメージを位置特定し再生するために前述の様々なリードバックシステムにより使用が可能な作動機構を示す図である。
【図１３】ある実施形態に係る別のイメージアーカイブ光学基板を示す図である。
【図１４】他の実施形態に係る別のイメージアーカイブ光学基板を示す図である。
【図１５】更に他の実施形態に係る別のイメージアーカイブ光学基板を示す図である。
【図１６】図１３〜図１５に示すようなイメージアーカイブ光学基板を生成しアクセスするように構成されたシステムの機能ブロック図である。
【図１７Ａ】本開示の様々な実施形態により構成された例示的アーカイブ基板を示す図である。
【図１７Ｂ】本開示の様々な実施形態により構成された例示的アーカイブ基板を示す図である。
【図１７Ｃ】本開示の様々な実施形態により構成された例示的アーカイブ基板を示す図である。
【図１７Ｄ】本開示の様々な実施形態により構成された例示的アーカイブ基板を示す図である。
【図１７Ｅ】本開示の様々な実施形態により構成された例示的アーカイブ基板を示す図である。
【発明を実施するための形態】
【００１２】
本開示の種々の実施形態は、一般に、特別に構成された基板（光ディスクの形式でもよい）を使用してアーカイブイメージを記憶し取得するための装置及び方法を対象とする。後で説明されるように、少なくとも幾つかの実施形態では、ドキュメントページの形式の複数のイメージが基板（担体）上にエンボス加工される。識別情報、メタデータ、コンピュータ可読データファイルなどの制御情報もアーカイブ基板上に形成されてもよい。ユーザが記憶イメージにアクセスし取り出すために、特別に構成されたリードバックシステムが使用される。
【００１３】
本開示のアーカイブ基板は、アーカイブイメージをコンピュータデータの形式で記憶する従来の光ディスクと異なり、一般に、人間による知覚用にイメージを示すために大きい倍率を適用する必要はあるが、アーカイブイメージを人間が知覚可能（読取り可能）な形式で基板に直接記憶するように構成される。このようにして、符号化デジタルデータの形式で記憶された、人間が読取り不能でコンピュータ読取り可能なファイルにアクセスするためのコーデック、様々なバージョンのソフトウェア、ドライバなどを使用する必要なしに、またそのようなファイルを人間が読取り可能なフォーマットに変換する必要なしに、イメージを直接的な光学手段によって再生（復元）することができる。これにより、現世代のコンピュータシステムとストレージフォーマットの旧式化に関係なく、イメージが将来も再生（復元）できるようになり、時間が経ったとしてもイメージを新しい世代の読取り装置及び媒体フォーマットに変換する必要がなくなる。
【００１４】
本明細書に開示された様々な実施形態のこれらの及び他の特徴及び利点は、最初に、アーカイブイメージ基板１００の様々なフォーマットをそれぞれ示す図１Ａ〜図１Ｂを参照することにより理解できる。基板１００は、アーカイブ用光ディスクとも呼ばれ、幾つかのアーカイブイメージ１０２が配列された回転可能な円盤形基板である。図１Ａ〜図１Ｂに示されたものと別に、他の形式、タイプ、形状、様式及び構成のアーカイブ基板を使用できることを理解されよう。
【００１５】
イメージ１０２は、図１Ａでは行列状に配列され、図１Ｂでは同心円状に配列される。図１Ａのイメージ１０２は全て同じ方向に向けられており、それに対して、図１Ｂのイメージ１０２の向きは基板の縁の周りでのイメージの角度位置に依存する。実際には、イメージ１０２は、ディスクの片面（記録層）に何千又は何百万ものイメージ（例えば、ドキュメントページ）が形成されるように、実質的にもっと小さいことが理解されよう。ディスク１００は、名目上１２０ミリメートル（ｍｍ）の最外径を有するＤＶＤやＢＤディスクなどの従来の光ディスクのフォームファクタを有することが意図されるが、そのようなフォームファクタは例示にすぎず、限定的ではない。各イメージ１０２は、直線からなるように示されているが、他のイメージ形状を使用することができる。
【００１６】
この点において、通常の人間観察者が各メッセージの内容を実際に復号するために何らかの拡大が適用される必要性があるが、各イメージ１０２が人間が読取り可能な形式であることに注意されたい。イメージの内容は、所望の形態をとることができる。一実施形態では、各イメージ１０２は、選択された言語の英数字を含むドキュメントを構成する。グラフィックス、パターン、データセットなどを含む他の形式のイメージを使用することができる。したがって、アーカイブ基板は、２色相（例えば、黒／白）又は多色相成分を有する「マイクロフイルム」又は「マイクロフィッシュ」様式媒体と類似している。
【００１７】
アーカイブディスク１００は、図２に示されるように配列された、全体としての情報内容を有することが意図されている。識別（ＩＤ）フィールド１０４は、リードバックシステムがディスク１００上のイメージの位置及び／又は内容を判断することを可能にするＩＤ情報を記憶する。幾つかの実施形態では、ＩＤフィールドは、システムが、個々のイメージの正確な位置を迅速かつ容易に判断できるように、アーカイブイメージ１０２のシーケンスの開始ポイントの位置を特定することを可能にするインデックス参照ポイントを提供する。
【００１８】
ＩＤタイル１０４がアーカイブイメージ（ページ）１０２の残りと名目上同じサイズになるよう、ＩＤフィールドは、図１Ａ〜図１Ｂに示されているもののように、特別に構成されたタイルでよい。これにより、再生システムは、ＩＤタイル１０４の位置を特定し、これを基板上の他のアーカイブイメージの位置とサイズ（例えば、長さｘ幅）の両方を識別する基準として使用することができる。後でより詳しく検討されるように、個々のイメージ１０２は、数ミクロン（a few microns）、即ちそれぞれマイクロメートル（１０-6ｍ）のオーダー（例えば約２５μｍ以下のオーダーなど）の長さと幅の寸法を有することができる。
【００１９】
必要に応じて、個々のイメージ１０２の位置特定を更に可能にするために、メタデータが１つ以上のメタデータフィールド１０６に記憶されてもよい。メタデータは、イメージの数と様式、デートコード情報、マップ位置情報などの複数の異なるタイプの制御情報を提供することができる。
【００２０】
コンピュータデータファイルが更に、１０８で示されたように記憶されてもよい。データファイルは任意の適切な形式をとることができ、また、ＩＤ情報やメタデータのように、（アーカイブイメージ１０２のような人間が知覚可能なイメージとは違った）コンピュータ読取り可能なデータの形式でよい。幾つかの実施形態では、イメージのうちの幾つか又は全てが、イメージファイル（例えば、ＪＰＥＧファイル、ワード処理ファイルなど）として別に符号化され、それにより、様々なドキュメントの、人間が読取り可能なコピーとコンピュータ読取り可能なコピーの両方が同じディスク１００上に記憶される。分解能によって、アーカイブイメージ１０２によって占有されるスペースは、イメージがデジタル形式に変換されファイルとしてディスク上に記憶された場合は、対応するデータフットプリントよりかなり小さいことがある。
【００２１】
図３は、図１Ａ〜図１Ｂのディスク１００からデータを再生するように構成されたリードバックシステム１１０の機能ブロック表現である。モータ１１１が、選択されたアーカイブディスク１００を選択された速度で回転させ、光学リードバック検出器１１２が、ディスク１００の表面を光学的に走査する。検出器は、単一の検出器（例えば、ＣＣＤ装置など）でもよく、ディスク１００に記憶された異なったタイプのデータを検出する複数の検出装置でもよい。コンピュータデータ検出方法には、磁気的なもの、トポグラフィカルなもの、電気的なものを含めることができる。
【００２２】
イメージ再生ブロック１１４は、アーカイブイメージのデジタルコピーを取得し、ホスト装置（別に示されていない）への転送を保留する出力バッファ１１６に出力する信号処理を提供する。データ読出しチャネル１１８は、コンピュータ可読データ（ＩＤ情報、メタデータ、コンピュータファイル）を復号し、必要に応じてそれをバッファ１１６に出力する信号処理を提供する。コントローラ１２０は、システム１１０の最上レベルの制御を提供する。
【００２３】
図４は、ディスク１００にデータを書き込むのに有用な書込みシステム１３０の機能ブロック図である。データ符号化ブロック１３２が、コンピュータ可読データを生成し符号化する。イメージ処理ブロック１３４は、ディスクに転送するための個々のイメージを作成する。データ順序付けブロック１３６は、書き込みビーム変調ブロック１３８に、ディスク（又は、複製ディスク群の作成元となることができるマスタディスク）にデータを書き込む書き込みビーム源１３８によって使用される１つ以上の変調信号の生成で使用されるデータシーケンスを提供する。
【００２４】
様々な技術を利用してディスク１００にイメージ１０２を書き込むことができる。幾つかの実施形態では、長期アーカイブ特性を有する材料の表面に個々のページがエッチングされる「ナノアーカイビング」と呼ばれる技術を使用することができる。
【００２５】
幾つかの実施形態では、書き込みビームは、光、熱、相変化又は他の物に対する反応性材料などであるがこれらに限定されないエネルギー反応材料の被覆層を選択的に露出させる。材料は、スピンコーティング、スパッタリング、成長などであるがこれらに限定されない任意の適切な方法を使用して下にある基板に付着することができる。
【００２６】
露出された材料は、射出成形プロセスで使用されて複製ディスク群を生成することができるスタンパを形成するためにメタライゼーション処理にかけられる。イメージエッチング（エンボス加工）を提供するために使用されるものと同じレーザビームレコーダ、電子ビームレコーダなどを使用して、制御情報のための光学的に検出可能なマーク（例えば、ピットとランド）を形成することができる。バーコードなどの制御情報のための他の形式が提供されてもよい。他の実施形態では、ガラスや金属などの基板材料に直接プラズマエッチングを適用することができる。
【００２７】
一般に、データ内容（イメージ及びコンピュータデータ）は、１つ以上のデータ記録層に書き込まれる。この層は、基板の厚さ全体に埋め込まれてもよい。データ記録層の上に１つ以上の保護層が形成されてもよい。
【００２８】
図５〜図７は、図４の書き込みシステムによって形成されたディスク１００の異なるフォーマットを示す。図５は、イメージエンボス加工ゾーン１５２とデータエンボス加工ゾーン１５４を有する第１の領域１５０を示す。それぞれのゾーンは、ディスク１００内に埋め込まれた共通記録層上にあってもよく、異なる記録層上にあってもよい。図５に示すように、データは第１の記録層に書き込まれてもよく、イメージは別の第２の記録層に書き込まれてもよい。層は、ディスク１００の半径全体にわたって同一の広がりを有してもよい。
【００２９】
アーカイブディスク１００は、図６の下側面１５４などの片側からアクセスされるように片面でよい。あるいは、アーカイブディスク１００は、図７に示すように下側面１５４と上側面１５６からアクセスされるように両面でもよい。両面アーカイブディスクは、片面ディスクの実質的に２倍のデータ記憶容量を有する傾向がある。エンボスは、ポリコートや他の保護剤の層によって基板内に封入されてもよい。あるいは、エッチングは、例えばエッチングされたガラスや金属のディスクなどの場合には、表面上に対するものでもよい。
【００３０】
図８は、データ書き込みルーチン２００であって、アーカイブイメージ及び制御データをディスク１００に書き込むために、本開示の幾つかの実施形態にしたがって実施されてもよい段階を示す。最初に、２０２で、アーカイブイメージが識別され、周知の走査技術やイメージ印刷技術などによって配列されてもよい。イメージは、白黒イメージとして想定されているが、それは例示に過ぎず限定的なものではない。エンボス加工及びイメージ検出技術に応じて、グレイスケールやフルカラーのイメージングなどを含む他のスペクトルのイメージ記録が使用されてもよい。
【００３１】
段階２０４で、ＩＤや他の制御データが生成される。これは、ディスク上に提供される様々なアーカイブイメージのカタログ化又はマッピングを含んでもよい。必要に応じて、この段階で、アーカイブイメージに対応するファイルを含む他のコンピュータ可読ファイルを生成したり、他の方法により提供したりすることができる。
【００３２】
段階２０６で、ディスクをエンボス加工してイメージ及び制御データを記憶するためのシーケンスを提供する書き込みシーケンスが生成される。イメージデータは、黒／白画素マップの形式（又は、他の適切なイメージフォーマット）でよい。制御データは、固定サイズのデータブロック（又は、セクタ）の形式でよく、更に、データリードバック信号処理を支援する誤り訂正コード（ＥＣＣ）を含んでもよい。
【００３３】
段階２０８で、書き込みシーケンスを物理的マーク（エンボス）のシーケンスとしてマスタ媒体に書き込むために１つ以上の書き込みビームが変調される。マスタ媒体は、制御可能に回転されるマスタディスクでよく、書き込みビームは、当てられた書き込みビームに反応する用意された被覆材料層に当たる。前述のように、これらの段階は、ＬＢＲ又はＥＢＲ、又は半導体の形成で使用されるプロセスを含む何か他の適切なプロセスなど、他の従来の光学媒体処理技術を使用して実施されてもよい。
【００３４】
露出されたマスタは、段階２１０で、メタライゼーションや他の技術を使用するスタンパ群の生成などによって処理されて、段階２１２で、射出成形や他の既知のプロセスによって複製された光学媒体群が形成される。
【００３５】
図９は、データ読み出しルーチン２２０を示す。段階２２２で、図８のルーチン２００によって生成されたような光学アーカイブ媒体がリードバックシステムに提供される。段階２２４で、光学検出器が使用されて媒体からＩＤや他の制御データが抽出される。段階２２６で、抽出データが使用されて１つ以上のアーカイブイメージの位置特定及び抽出がなされ、次に、段階２２８で、このアーカイブイメージはデジタル形式でホストに出力される。
【００３６】
図１０は、幾つかの実施形態に係る別のリードバックシステム２３０を示す。リードバックシステムは、選択されたアーカイブ基板１００Ａ上に光（広域スペクトル光やコヒーレント光など）や他の電磁放射（非可視スペクトルに含む）を加える光源２３２を含む。
【００３７】
透過反射アセンブリ２３４は、反射された光／電磁放射の組を基板１００Ａからレンズ２３６を通り抜けて電荷結合素子（ＣＣＤ）アレイ２３８に導き、電荷結合素子（ＣＣＤ）アレイ２３８は、検知されたアーカイブイメージの様々な個別の画素の異なる光学応答を検出する。当てられる光スポットは、イメージの全て又はほとんどの部分が同時に検出されるようにイメージの全体又は一部分にわたってもよい。ＣＣＤ２３８は、処理と表示のために適切なホスト装置への転送を保留するバッファメモリ２３９に一時的に記憶されることが可能なビットシーケンスを出力する。
【００３８】
図１１は、他の実施形態に係る代替のリードバックシステム２４０を表示する。前と同じように、リードバックシステムは、広域スペクトル光、コヒーレント光又は他の電磁放射を基板１００Ｂに加える光源２４２を含む。透過反射アセンブリ２４４は、反射された光／放射線をレンズ２４６を通り抜けて投射装置２４８に導き、投射装置２４８は、図示するように、再生（復元）されたイメージをより大きいディスプレイ２４９に投影する。したがって、図１１の構成は、顕微鏡と似た働きをし、壁や他の表示場所に投影された、大きく拡大されたイメージを備えている。
【００３９】
図１２は、２３０や２４０などのリードバックシステムの更に他の態様を表示する。リードバックシステムは、ＸＹ移動機構２５０と回転制御機構２５２とを含む。ＸＹ移動機構は、リードバックシステムの再生部材の動きを基板の異なるＸＹ座標に導く（例えば、基板は、ＸＹ平面に沿っていると想定されている）。回転制御機構２４６は、基板の高精度の回転位置決めを可能にする。
【００４０】
アーカイブイメージが、連続的なディスク（基板）回転の最中に取得され表示／処理されてもよいと想定されているが、他の実施形態では、ディスク／基板は、アーカイブイメージデータの移動中に一定角度方向に保持され、断続的に回転されるか他の方法で移動されて、基板とリードバックシステムとの間に必要な位置合わせを提供してもよい。同様に、記録する間、マスタ基板は連続的に回転されてもよく、又は定期的に角度方向に前進され、書き込みビームがＸＹ平面内で前進している間に適切な位置に維持されてもよい。
【００４１】
図１３は、幾つかの実施形態によりフォーマットされた別の例示的な基板２６０を示す。基板２６０は、合計２８個のイメージタイル２６２と４個のＩＤタイル２６４を含む。前述のものと同じように、イメージタイル２６２は、人間が見ることができる微視的視覚フォーマットで示されたドキュメントや他の情報のアーカイブイメージを構成する。したがって、もっと多くのイメージタイルが基板上に配置されるであろうこと、及び各イメージタイルは図１３に図示するものより大幅に小さくなるであろうことが想定される。
【００４２】
ＩＤタイル２６４は、均一に色付けされた幾何学形状、規則的又は非規則的パターンなどにおいて、完全に塗りつぶされたもののような、境界線又は他の形状の光学的に検出可能なパターンだけを提供する単純な四角形パターンとすることができる。一実施形態では、各ＩＤタイル２６４は、ＩＤタイルの角部を示し、更にはイメージタイル２６２の長さと幅の寸法を示す十字線マーク２６６などの表示を有する。
【００４３】
ＩＤタイル２６４のそれぞれには、固有の位置的表示２６７（例えば、「東」に対しては「Ｅ」）などの追加の表示が含まれてもよい。このように、４つのＩＤタイル２６４は、イメージタイルの座標基準（例えば、北、南、東び西）を提供することができる。個々のイメージタイル２６２の座標は、ＩＤタイル２６４の１つ以上との関係で指定されてよい。あるいは、各々のＩＤタイル２６４は、名目上同一とすることができる。
【００４４】
ＩＤタイル２６４は、バーコード２６８などのデータを記憶することができる。これを使用して、イメージタイル２６２の内容、ＩＤタイル２６４の位置などを識別することができる。そのようなデータは、バーコード、テキスト、変調データストリング、多次元バーコード、ＯＣＲなどの形式の光学的に検出可能なデータを含む任意の適切なフォーマットで記録することができる。追加的に、或いは代替的に、ＩＤタイルは、光学的、磁気的、電気的、ソリッドステート又は他のフォーマットなどの、人間が読取り不能でコンピュータが読取り可能なフォーマットでデータを記憶することができる。ＩＤタイルは、イメージタイルによって占有されない任意のスペース内に配置することができ、また任意の適切な形状と位置のものとすることができる。
【００４５】
更に他の実施形態では、メモリ（図１３に示されない）に記憶された別のコンピュータ可読データベースに参照入力を提供するために、コンピュータ可読情報が基板２６０上に、例えばＩＤタイル２６４（但しこれには限定されない）などに提供される。データベースの参照は、所望のイメージタイル２６２の幾何学的位置の識別を可能にすることができ、リードバックシステムが所望のイメージを位置特定し取得することを可能にする。
【００４６】
図１４は、３６個のイメージタイル２７２と４個のＩＤタイル２７４を有する別の例示的基板２７０を表示する。イメージタイル２７４は、前述のようにフォーマットされ、図示されたようないわゆる「角」位置を含む任意の適切な位置に配置することができる。
【００４７】
図１５は、３６個のイメージタイル２８２を有する更に別の例示的な基板２８０を示す。対応するＩＤデータは、内側バンド２８４や外側バンド２８６などの１つ以上の円形ＩＤバンド内に配列される。バンド２８４，２８６は、１つ以上のトラックに沿って配列されたコンピュータデータフォーマットを含む任意の適切なフォーマットをとることができる。このように、適切なデータトランスジューサをバンドの隣りに位置決めして、基板がトランスジューサに対して移動されたときに、バンドに記憶されたデータを再生することができる。
【００４８】
図１６は、図１３〜図１５の基板２６０，２７０及び２８０などの基板に対してデータを記憶し、又そこからデータを再生するための、様々な実施形態により構成され操作される処理システム３００についての機能ブロック図を表示する。図１６に示された様々なモジュールと操作ブロックは、ハードウェア、ソフトウェア及び／又はファームウェアで実現することができ、１つ以上のハードウェアベースの又はプログラム可能なプロセッサ及び関連するコンピュータ可読メモリによって利用される、実行可能プログラミング及び制御データを含んでもよいことが理解されよう。
【００４９】
１−ｎと番号付けされたｎ個のイメージタイル３０２の集合が、前述の任意の適切な方法を使用して生成される。タイル３０２のイメージ内容のデジタル表現がメモリに一時的に記憶されてもよいと想定されている。イメージタイル３０２は、タイルレイアウトモジュール３０４に供給され、タイルレイアウトモジュール３０４は、個々のイメージの相対サイズ、形状及び密度を考慮に入れて関連基板の構成パターンを生成する。
【００５０】
イメージタイルのメタデータ（例えば、制御データ）は、メタデータ生成モジュール３０６によって生成される。メタデータは、タイルの数、タイルセットの説明、最大記録領域寸法、タイルサイズ、ピクセル密度（例えば、ドットパーインチ（ＤＰＩ））、後の再生動作の際に使用される関連した検索可能データベースのフォーマットを含むことができるが、これらに限定されない。
【００５１】
メタデータ又はその一部分は、最終レイアウトの形成を補助するタイルレイアウトモジュール３０４と、記録基板上に配置される固有ＩＤブロックを生成するＩＤデータ生成モジュール３０８とに供給されてもよい。前述のように、ＩＤブロックは、バーコード、タグ値、幾何学的形状及び／又はパターン、並びにＣＤ（コンパクトディスク）、ＤＶＤ（デジタル多用途ディスク）、ＢＤ（ブルーレイディスク）データフォーマットなどの既存の変調方式にしたがって構成されたデータなどを含む、任意の数の適切な形式をとることができる。
【００５２】
マスタパターン生成モジュール３１０は、タイルレイアウトモジュール３０４とＩＤデータ生成モジュール３０８から入力を受け取り、イメージデータをＩＤブロックデータと組み合わせて、基板のための最終レイアウトを生成し、前述のようにデータを基板３１４に転送する記録システム３１２に入力書き込みデータを供給する。メタデータ、ＩＤ値、位置情報などの種々の制御パラメータが、将来参照するために適切なメモリに記憶されたデータベース構造３１６に転送されてもよい。
【００５３】
記録基板３１４は、前述のような適切な処理を使用して１つ以上の複製された最終基板３１８が形成されるもととなるマスタ基板の形式を取ってもよい。あるいは、記録基板が最終基板を構成してもよい。
【００５４】
順次データ検索動作の際、リードバック装置３２０は、最終基板３１８にアクセスして１つ以上の所望のイメージを位置特定し出力する。リードバック装置３２０は、最終基板からＩＤデータを再生（復元）し、これを使用して所望のイメージの正確な位置を特定するためにデータベース構造３１６にアクセスしてもよい。その後で、取得されたイメージ３２２は、メモリに転送されるか、表示装置に表示されるか、ハードコピーに印刷されるなどによって、適切な出力装置に出力される。
【００５５】
図１７Ａ〜図１７Ｅは、アーカイブディスクを提供するために前述の様々な実施形態にしたがって処理された例示的物理基板４００の図示表現を表示している。図１７Ａは、光学的に検出可能なフィーチャ４０２のアレイを記憶する基板４００を示し、フィーチャ４０２は、図１６に示すような書き込みシステムを使用して、様々なホログラフィ、グラフィック及びイメージのフィーチャとして形成された。フィーチャ４０２は、基板４００の中心回転軸４０４のまわりに配列される。基板４００は、一般に、名目上１２０ミリメートル（ｍｍ）の外径を有する標準的な光ディスク（例えば、ＣＤ、ＤＶＤ、ＢＤ）に合致する。
【００５６】
特に関心の対象となるのは、アーカイブディスク４００上の選択されたフィーチャ４０６であり、フィーチャ４０６は、一般に、約２センチメートル（ｃｍ）未満の直径を有するディスク形ゾーンを含む。フィーチャ４０６は、６００個を超えるイメージタイル４１０を構成することが図１７Ｂにおいてより明瞭に示されており、各イメージタイル４１０は、一冊の欽定訳聖書からのテキストの別個のページを提供している。
【００５７】
４１０Ａ、４１０Ｂ、４１０Ｃ及び４１０Ｄとして示された４個の個別のイメージタイル（ページ）が、図１７Ｃと図１７Ｄにおいてより詳細に示されている。イメージタイル４１０Ｄ及び４１０Ｅが、説明を分かり易くするために、図１７Ｄでは切り詰められていることが分かるであろう。
【００５８】
タイル４１０Ａは表題ページを構成し、タイル４１０Ｂは目次を構成し、タイル４１０Ｃ及び４１０Ｄはテキストの部分である。目次タイル４１０Ｂは、図１７Ｅにおいてより明瞭に示されている。確認できるように、各ページが英数字フォーマットのテキスト情報（この場合は英語）を、個別のページの内容を得ることを可能にするには十分な分解能で含んでいることが分かる。
【００５９】
個々のタイルが、タイル４１０Ａ及び４１０Ｂによって示されるように、互いに直に隣接していてもよく、タイル４１０Ａ及び４１０Ｃによって示されるように、隣接タイル間に小さい隙間が備えられてもよい。図１７Ａ〜図１７Ｆの例には示されていないが、境界線や角クロスハッチなどの他の輪郭マーカを使用して、個々のページの境界をマーキングすることができる。
【００６０】
ゾーン４０６内の各ページは、幅が約２５ミクロン（μｍ）（２５ｘ１０-6メートル）のオーダーであり、現行技術の電子ビームレコーダ（ＥＢＲ）型書き込み装置を使って書き込まれた。必要に応じて、約２０μｍ以下、５０μｍ以下、１００μｍ以下、２５０μｍ以下、５００μｍ以下、１０００μｍ以下のオーダーのイメージを含む、より大きなサイズ及び／又はより小さなサイズのイメージを生成することができる。幾つかの場合では、イメージの全体サイズは、個々のタイルのサイズを最大にするために、利用可能な総面積とイメージの総数とに関連して選択される。
【００６１】
基板４００の全体表面は、フィーチャ４０６内のアーカイブイメージタイル４１０とほぼ同じサイズのアーカイブイメージを記憶するように構成されている場合、記録層１つ当たり約１００，０００個以上のイメージに対応するであろうことが分かる。これは、図１７Ａ〜図１７Ｅでフォーマットされたもののような欽定訳聖書全体の数百部に対応するのに十分すぎるほどである。記憶媒体上には、約１，０００個のイメージタイル、約１０，０００個のイメージタイル、約１，０００，０００個のイメージタイル、及びこれらより少ない又は多い他の数を含む、他の数のイメージタイルを提供することができる。図１７Ａ〜図１７Ｅに別に示されていないが、ＩＤタイルがフィーチャ４０６に挿入された場合は、ＩＤタイルは、位置を特定してフィーチャ内の残りのイメージの予想サイズを割り出すのに使用できる。その後で、（ＸＹ機構によって）ＩＤタイルから適切なＸＹ座標距離だけ移動させることによって、任意の特定のページにアクセスし取得することができる。
【００６２】
ＩＤタイル（又は、他のサイズ・位置特定機構）を使用する別の利点は、複製環境において、射出成型レプリカ（及び、他の形式の複製基板）の形成が、マスタ基板と比較すると、収縮や他の寸法変形を受けていることがあることである。物体は、例えば、従来の光ディスク（ＤＶＤ，ＢＤ）ディスク複製技術を使用すると、約１％〜４％収縮することがある。したがって、残りのイメージの寸法に関連して選択された寸法を有するＩＤタイルを特定し、そのサイズを判断することによって、リードバックシステムは、それに応じて較正し、必要なイメージに正確にアクセスし取得することができる。
【００６３】
一実施形態では、イメージアーカイブ基板（担体又はディスク）の１つの面又は記録層の全体が、イメージデータなどのイメージを記憶するために使用され、基板の別の面又は記録層が、イメージデータと関連付けられたコンピュータ可読データを記憶する。例えば、プログラミングの形式のコンピュータ可読データは、ホストシステム上に実行可能プログラムを提供するためにアドレス指定可能な論理データブロックの形式のコンピュータ可読データとして供給することができ、プログラミングを使用して、イメージからのイメージデータのアクセス、転送及び表示を提供することができる。本開示を鑑みて当業者は、アートワークのコピーのアーカイビング等を含む他の応用に容易に想到するであろう。
【００６４】
ここで、本明細書に示された様々な実施形態が、先行技術より優れた幾つかの利点を提供できることが理解されよう。例えばＤＶＤやＢＤなどであるがそれらに限定されない従来通りのサイズの機械可読光学媒体、並びに他のタイプ及び様式の基板を使用して高容量データイメージアーカイビングを提供することができる。
【００６５】
アーカイブドキュメントの実際の物理（小さい）イメージを取得し記憶することによって、効率的なデータ記憶機構が提供される。データをコンピュータフォーマットで記憶するためのオーバヘッド（例えば、ヘッダ、フッタ、ＥＣＣ補正データ、デコーダソフトウェアなど）は実質的に不要である。同様に、ディスク／基板からイメージを再生するためのソフトウェア変換、コーデック、アプリケーション、ドライバなどが不要なので、アクセシビリティ問題がもたらされない。したがって例えば、イメージは、アーカイブデータの再生を可能にするために特別に構成されたＪＰＥＧ／ＧＩＦ／ＭＰＥＧなどの変換層を必要としない。必要に応じて、高倍率顕微鏡や他のイメージ再生装置が、イメージデータを直接再生するのに十分であろう。
【００６６】
ＩＤタイル（又は、他のサイズ特定機構）を使用することにより、個々のイメージの迅速な位置特定とサイズ特定が可能になるが、ＩＤタイルは、必ずしもアーカイブイメージと全く同じサイズである必要はなく、ＩＤタイルのサイズとイメージとの間の所定の関係を使用して容易なアクセスを補助することができる。例えば、イメージのサイズが名目上Ｘミクロンで、タイル（書き込み前）がちょうど１ミクロン×１ミクロンにサイズ決めされた場合、ＩＤタイルの正確な測定により、基板上の全てのアーカイブイメージの位置とサイズを計算するために使用できるディレーティング係数を決定することができる。
【００６７】
前述の様々な実施形態は、白黒ドキュメント（図１７Ａ〜図１７Ｅに示された聖書からのページなど）の記憶に関して想定しているが、基礎基板と書き込みプロセスが、必要な色深度をサポートするように構成される場合は、この方法で多色イメージも記憶することができる。このように、本明細書に開示された様々な実施形態は、ノーカット映画などの視聴覚作品を記憶するように構成することができる。
【００６８】
一例では、全長約１２０分で３０フレーム／秒で表示される映画は、約３０ｘ６０ｘ１２０＝２１６，０００個の個別フレーム又はアーカイブイメージを必要とする。リードバックシステムは、イメージ領域からイメージを容易に抽出し、バッファリングし、投射し、一方で同時に図１５も含め、前述したもののように媒体上に形成されたトラックから対応するオーディオサウンドトラックデータを出力するよう、構成されてもよい。複数のイメージを組み合わせて個々のフレームを提供してもよい。イメージの順序付けは、図１Ｂで前述したものを含むスパイラル状若しくは同心円状のパターンなどや、又は図１Ａに示されたようなラスタパターンなど、その連続出力を強化するようになされてもよい。したがって、用語「アーカイブデータ」は、大倍率の拡大の適用が要件であるとはいえ、イメージが「古い」か「新しい」かに関わらず、人間が知覚可能なイメージの形式で基板上に記憶されたデータのことを示していると幅広く理解されよう。
【００６９】
様々な実施形態が、光ディスクとして示されたが、そのような実施形態は例示的なものに過ぎず、限定的なものではない。同様に、媒体の回転移動は、特に有用な操作の様式として示されているが、それもまた例示的なものに過ぎず、限定的なものではない。
【００７０】
本明細書の目的のため、人間が知覚可能なイメージなどは、様々な波長スペクトルを含み、マイクロフィッシュのような可視光スペクトルに必ずしも限定されないが、代りにＵＶ、ＩＲ、マイクロ波、並びにＳＥＭ又はＡＦＭシステムなどによって検出できる全ての検出及び記録波長を含む他のスペクトルに拡張することができる。
【００７１】
以上の説明では、本開示の様々な実施形態の多くの特徴と利点を、様々な実施形態の構造及び機能の詳細と共に示したが、この詳細な説明は、単に説明であり、詳細において、特に部材の構造と配置に関して、本開示の原理の範囲内で、添付の特許請求の範囲を表現する用語の広い一般的な意味よって示される最大範囲まで変更が行われうることを理解されたい。
【図１Ａ】
0006046861.tif 000002
【図１Ｂ】
0006046861.tif 000003
【図２】
0006046861.tif 000004
【図３】
0006046861.tif 000005
【図４】
0006046861.tif 000006
【図５】
0006046861.tif 000007
【図６】
0006046861.tif 000008
【図７】
0006046861.tif 000009
【図８】
0006046861.tif 000010
【図９】
0006046861.tif 000011
【図１０】
0006046861.tif 000012
【図１１】
0006046861.tif 000013
【図１２】
0006046861.tif 000014
【図１３】
0006046861.tif 000015
【図１４】
0006046861.tif 000016
【図１５】
0006046861.tif 000017
【図１６】
0006046861.tif 000018
【図１７Ａ】
0006046861.tif 000019
【図１７Ｂ】
0006046861.tif 000020
【図１７Ｃ】
0006046861.tif 000021
【図１７Ｄ】
0006046861.tif 000022
【図１７Ｅ】
0006046861.tif 000023